(57)【要約】【課題】点灯検査において、欠陥が検出可能な検査条件を選出できるカラー表示デバイスの検査条件選出装置を提供する。【解決手段】本発明のカラー表示デバイスの検査条件選出装置であるコンピュータ２は、表示デバイスの各色の分光透過特性と、表示用照明の分光放射特性と、人間の明所比視感度特性との積の波長積分値をＱ(Ｃ)とし、上記各色の分光透過特性と、検査用照明の分光放射特性と、撮像センサの分光感度特性と、光学フィルタの分光透過特性との積の波長積分値をＰ（Ｃ）とし、Ｃ種類の表示色から選ばれる、第１の表示色Ｃ１と第２の表示色Ｃ２との全ての組合わせに対し、Ｐ(Ｃ１) / (Ｑ(Ｃ１)×Ｐ(Ｃ２)) の値を算出することによって得られた複数の最小値に対応する光学フィルタの分光透過特性および検査用照明の分光放射特性を算出する。【選択図】図３
2010019632.tif 000002
【特許請求の範囲】
【請求項１】
表示用照明と組合わせることによって表示を行うカラー透過型表示デバイスに対し、検査用照明から光を照射し、光学フィルタを介して上記カラー透過型表示デバイスに表示された画像を撮像センサによって撮像するカラー透過型表示デバイスの欠陥検査に用いられるカラー表示デバイスの検査条件選出装置において、
カラー透過型表示デバイスを構成する表示色がＣ種類（Ｃは３種類以上の整数）の表示部分に関する各色の分光透過特性と、表示用照明の分光放射特性と、撮像センサの分光感度特性と、人間の明所比視感度特性と、複数の光学フィルタの分光透過特性と、複数の検査用照明の分光放射特性とを、選択手段に入力する入力手段と、
入力された複数の光学フィルタの分光透過特性から１つの光学フィルタの分光透過特性を選択すると共に、入力された複数の検査用照明の分光放射特性から１つの検査用照明の分光放射特性を選択する上記選択手段とを備え、
上記選択手段は、上記各色の分光透過特性と、表示用照明の分光放射特性と、人間の明所比視感度特性との積の波長積分値をＱ(Ｃ)とし、上記各色の分光透過特性と、検査用照明の分光放射特性と、撮像センサの分光感度特性と、光学フィルタの分光透過特性との積の波長積分値をＰ（Ｃ）とし、Ｃ種類の表示色から選ばれる、第１の表示色Ｃ１と第２の表示色Ｃ２との全ての組合わせに対し、Ｐ(Ｃ１) / (Ｑ(Ｃ１)×Ｐ(Ｃ２)) の値を算出することによって得られた複数の最小値に対応する光学フィルタの分光透過特性および検査用照明の分光放射特性を算出することを特徴とするカラー表示デバイスの検査条件選出装置。
【請求項２】
上記選択手段によって、上記Ｐ(Ｃ１)/ (Ｑ(Ｃ１)×Ｐ(Ｃ２)) の値に基づき閾値を出力する閾値出力手段をさらに備えること特徴とする請求項１に記載のカラー表示デバイスの検査条件選出装置。
【請求項３】
上記複数の最小値のうち、最大の最小値に対応する光学フィルタの分光透過特性および検査用照明の分光放射特性を算出することを特徴とする請求項１または２に記載のカラー表示デバイスの検査条件選出装置。
【請求項４】
自発光型であるカラー自発光型表示デバイスに対し、光学フィルタを介して上記カラー自発光型表示デバイスに表示された画像を撮像センサによって撮像するカラー自発光型表示デバイスの欠陥検査に用いられるカラー表示デバイスの検査条件選出装置において、
上記カラー自発光型表示デバイスを構成する表示色がＣ種類（Ｃは３種類以上の整数）の表示部分に関する各色の分光放射特性と、撮像センサの分光感度特性と、人間の明所比視感度特性と、複数の光学フィルタの分光透過特性とを、選択手段に入力する入力手段と、
入力された複数の光学フィルタの分光透過特性から１つの光学フィルタの分光透過特性を選択する上記選択手段とを備え、
上記選択手段は、上記各色の分光透過特性と、人間の明所比視感度特性との積の波長積分値をＱ(Ｃ)とし、上記各色の分光透過特性と、撮像センサの分光感度特性と、光学フィルタの分光透過特性との積の波長積分値をＰ（Ｃ）とし、Ｃ種類の表示色から選ばれる、第１の表示色Ｃ１と第２の表示色Ｃ２との全ての組合わせに対し、Ｐ(Ｃ１) / (Ｑ(Ｃ１)×Ｐ(Ｃ２)) の値を算出することによって得られる複数の最小値に対応する光学フィルタの分光透過特性を算出することを特徴とするカラー表示デバイスの検査条件選出装置。
【請求項５】
上記選択手段によって、上記Ｐ(Ｃ１)/ (Ｑ(Ｃ１)×Ｐ(Ｃ２)) の値に基づき閾値を出力する閾値出力手段をさらに備えること特徴とする請求項４に記載のカラー表示デバイスの検査条件選出装置。
【請求項６】
上記複数の最小値のうち、最大の最小値に対応する光学フィルタの分光透過特性および検査用照明の分光放射特性を算出することを特徴とする請求項４または５に記載のカラー表示デバイスの検査条件選出装置。
【請求項７】
請求項１〜３の何れか１項に記載のカラー表示デバイスの検査条件選出装置を含み、
上記カラー表示デバイスの検査条件選出装置が、カラー透過型表示デバイスに表示された画像を撮像する撮像センサと、検査対象となるカラー透過型表示デバイスに制御信号を送信する信号発生器を備えることを特徴とする表示デバイス検査装置。
【請求項８】
請求項４〜６の何れか１項に記載のカラー表示デバイスの検査条件選出装置を含み、
上記カラー表示デバイスの検査条件選出装置が、カラー自発光型表示デバイスに表示された画像を撮像する撮像センサと、検査対象となるカラー自発光型表示デバイスに制御信号を送信する信号発生器を備えることを特徴とする表示デバイス検査装置。
【請求項９】
表示用照明と組合わせることによって表示を行うカラー透過型表示デバイスに対し、検査用照明から光を照射し、光学フィルタを介して上記カラー透過型表示デバイスに表示された画像を撮像センサによって撮像するカラー透過型表示デバイスの欠陥検査に用いられるカラー表示デバイスの検査条件選出方法において、
カラー透過型表示デバイスを構成する表示色がＣ種類（Ｃは３種類以上の整数）の表示部分に関する各色の分光透過特性と、表示用照明の分光放射特性と、撮像センサの分光感度特性と、人間の明所比視感度特性と、複数の光学フィルタの分光透過特性と、複数の検査用照明の分光放射特性とを得る入力工程と、
上記複数の光学フィルタの分光透過特性から１つの光学フィルタの分光透過特性を選択すると共に、上記複数の検査用照明の分光放射特性から１つの検査用照明の分光放射特性を選択する選択工程とを含み、
上記選択工程では、上記各色の分光透過特性と、表示用照明の分光放射特性と、人間の明所比視感度特性との積の波長積分値をＱ(Ｃ)とし、上記各色の分光透過特性と、検査用照明の分光放射特性と、撮像センサの分光感度特性と、光学フィルタの分光透過特性との積の波長積分値をＰ（Ｃ）とし、Ｃ種類の表示色から選ばれる、第１の表示色Ｃ１と第２の表示色Ｃ２との全ての組合わせに対し、Ｐ(Ｃ１) / (Ｑ(Ｃ１)×Ｐ(Ｃ２)) の値を算出することによって得られる複数の最小値に対応する光学フィルタの分光透過特性および検査用照明の分光放射特性を算出することを特徴とするカラー表示デバイスの検査条件選出方法。
【請求項１０】
自発光型であるカラー自発光型表示デバイスに対し、光学フィルタを介して上記カラー自発光型表示デバイスに表示された画像を撮像センサによって撮像するカラー自発光型表示デバイスの欠陥検査に用いられるカラー表示デバイスの検査条件選出方法において、
上記カラー自発光型表示デバイスを構成する表示色がＣ種類（Ｃは３種類以上の整数）の表示部分に関する各色の分光放射特性と、撮像センサの分光感度特性と、人間の明所比視感度特性と、複数の光学フィルタの分光透過特性とを得る入力工程と、
上記複数の光学フィルタの分光透過特性から１つの光学フィルタの分光透過特性を選択する選択工程とを備え、
上記選択工程は、上記各色の分光透過特性と、人間の明所比視感度特性との積の波長積分値をＱ(Ｃ)とし、上記各色の分光透過特性と、撮像センサの分光感度特性と、光学フィルタの分光透過特性との積の波長積分値をＰ（Ｃ）とし、Ｃ種類の表示色から選ばれる、第１の表示色Ｃ１と第２の表示色Ｃ２との全ての組合わせに対し、Ｐ(Ｃ１) / (Ｑ(Ｃ１)×Ｐ(Ｃ２)) の値を算出することによって得られる複数の最小値に対応する光学フィルタの分光透過特性を算出することを特徴とするカラー表示デバイスの検査条件選出方法。
【発明の詳細な説明】
【技術分野】
【０００１】
本発明は、カラー表示デバイスの検査条件選出装置、表示デバイス検査装置およびカラー表示デバイスの検査条件選出方法に関するものである。
【背景技術】
【０００２】
従来、ＰＤＰ（plasma display panel）、有機ＥＬ（organic electro luminescence）、液晶パネル、液晶プロジェクタなどの表示デバイスを含む各種製品が広く製造されている。表示デバイスの製造工程では、不良を検出するための検査工程が行われる。検査工程では点灯検査という工程があり、表示デバイスに検査用の画像を表示させ、表示された画像が確認されることにより表示デバイスの不良が検査される。上記点灯工程は、従来、人間の目視による検査が行われてきたが、近年では、目視検査員の人件費の削減、検査時間の短縮および検査の信頼性向上のために、自動検査装置による点灯検査も行われている。
【０００３】
自動検査装置による点灯検査では、表示デバイスに検査用の画像を表示させ、画像の表示状態を撮像センサによって撮像する。撮像された画像はコンピュータで画像処理され、欠陥の有無が判断される。表示デバイスは、赤色、緑色および青色といった基本的な色を表示する小さな表示部分（画素）で構成され、表示している画素の組合わせにより、様々な色や模様を表示している。上記点灯検査では、表示デバイスにおける赤色、緑色および青色といった画素の色の種類のうち複数色、または、単色の画像を画面に表示し、正常に点灯していない画素、または、表示している色の種類と異なった色の種類の画素が点灯していないかを検出する検査がある。
【０００４】
ところで、表示デバイスを含む製品は、人が見るための製品であるため、表示デバイスに欠陥が存在することによって、不良であると判断する条件は、人が視認できるかということに関わる。人が欠陥を視認できるか否かは個人差があるため、管理が困難であるが、人間の目視感度を一般化した人間の明所比視感度（以下、「人間の明所比視感度」を視感度と適宜略す。）特性を用いた輝度という単位を用いて、上記条件を数値的に管理することが可能である。また、視覚度特性を視覚度分光特性と表す場合もあるが両者は同義である。
【０００５】
表示デバイスの各色の輝度は、測定条件による定数と表示デバイスの分光放射強度と視感度特性との積を波長全体で積分した値で以下の式（１）のように表される。
【０００６】
【数１】
2010019632.tif 000003
【０００７】
ここで、一般的に、撮像センサの分光感度特性と人間の視感度分光特性とは異なるため、自動検査装置によって輝度を測定する場合、撮像センサによる測定値は輝度と違った値になる。そのため、撮像センサによる測定値を不良と判定する閾値は、不良となる輝度に一致するように表示部分の色の種類別に設定したり、撮像センサに光学フィルタを取り付けて、撮像系の感度特性を人の視感度分光特性に合わせ、撮像センサによる測定値を輝度と合わせ、色による差が出ないようにするといった対応が行われている。
【０００８】
上記のような対応の例として、例えば、特許文献１の液晶パネルの検査装置では、液晶パネルを照明するバックライトにフィルタを取り付け、撮像系の感度特性を人の視感度分光特性に合わせ、上記測定値を輝度に合わせている。
【特許文献１】特開２００５‐１４８６７０号公報（平成１７年６月９日公開）
【発明の開示】
【発明が解決しようとする課題】
【０００９】
しかしながら、上記従来の検査装置では、単色での点灯検査において、表示デバイスの欠陥を検出できない場合があるという問題点を有している。
【００１０】
具体的に説明すると、単色での点灯検査を行う場合、明るく光る点灯画素に隣接して暗く光る欠陥画素が配置するため、点灯画素とこれに隣接する欠陥画素との色の組合わせによっては、撮像センサのダイナミックレンジの範囲を超えてしまい欠陥画素を検出できない場合がある。
【００１１】
例えば、緑色の単色画面では、点灯している緑色の表示部分を、撮像センサが飽和しないように撮像条件を設定して撮像すると、欠陥が青色の場合、この欠陥の測定値は検出ができない値となる。しかし、上記青色の欠陥を検出することが可能な撮像条件では、点灯している緑色の表示部分が飽和してしまい、点灯状態が悪いため暗くなっている緑色の画素が存在していても、上記画素の園部分も飽和しており、欠陥を検出することができない。
【００１２】
一方、青色の単色画面では、点灯している青色の表示部分を、撮像センサが飽和しないように撮像条件を設定して撮像すると、欠陥が緑色の場合、この欠陥部分の測定値は十分に高く、検出が可能である。上述のように、色の種類によって、表示色の放射強度が異なる場合があり、これが実際の欠陥となる輝度の値と、検査装置の欠陥を検出する閾値の間にずれを生じさせていた。
【００１３】
本発明は、上記従来の問題点に鑑みなされたものであって、その目的は、表示デバイスにおける赤色、緑色、青色等の色のうち１種類のみを点灯させた画面において、正常に点灯していない画素や表示している色と異なった色の画素が点灯していないか検出する点灯検査を行う際に欠陥が検出可能な検査条件を選出できるカラー表示デバイスの検査条件選出装置を提供することにある。
【課題を解決するための手段】
【００１４】
本発明のカラー表示デバイスの検査条件選出装置は、上記課題を解決するために、表示用照明と組合わせることによって表示を行うカラー透過型表示デバイスに対し、検査用照明から光を照射し、光学フィルタを介して上記カラー透過型表示デバイスに表示された画像を撮像センサによって撮像するカラー透過型表示デバイスの欠陥検査に用いられるカラー表示デバイスの検査条件選出装置において、カラー透過型表示デバイスを構成する表示色がＣ種類（Ｃは３種類以上の整数）の表示部分に関する各色の分光透過特性と、表示用照明の分光放射特性と、撮像センサの分光感度特性と、人間の明所比視感度特性と、複数の光学フィルタの分光透過特性と、複数の検査用照明の分光放射特性とを、選択手段に入力する入力手段と、入力された複数の光学フィルタの分光透過特性から１つの光学フィルタの分光透過特性を選択すると共に、入力された複数の検査用照明の分光放射特性から１つの検査用照明の分光放射特性を選択する上記選択手段とを備え、上記選択手段は、上記各色の分光透過特性と、表示用照明の分光放射特性と、人間の明所比視感度特性との積の波長積分値をＱ(Ｃ)とし、上記各色の分光透過特性と、検査用照明の分光放射特性と、撮像センサの分光感度特性と、光学フィルタの分光透過特性との積の波長積分値をＰ（Ｃ）とし、Ｃ種類の表示色から選ばれる、第１の表示色Ｃ１と第２の表示色Ｃ２との全ての組合わせに対し、Ｐ(Ｃ１) / (Ｑ(Ｃ１)×Ｐ(Ｃ２)) の値を算出することによって得られた複数の最小値に対応する光学フィルタの分光透過特性および検査用照明の分光放射特性を算出することを特徴としている。
【００１５】
上記の発明によれば、選択手段によって、Ｃ種類の表示色から選ばれる、第１の表示色Ｃ１と第２の表示色Ｃ２との全ての組合わせに対し、Ｐ(Ｃ１) / (Ｑ(Ｃ１)×Ｐ(Ｃ２)) の値を算出することによって得られた複数の最小値に対応する光学フィルタの分光透過特性および検査用照明の分光放射特性を算出することができる。これにより、算出された結果から、カラー透過型表示デバイスの検査において用いられる複数の光学フィルタおよび検査用照明の組合わせから適した条件の組合わせ選出することができる。
【００１６】
また、本発明のカラー表示デバイスの検査条件選出装置では、上記選択手段によって、上記Ｐ(Ｃ１)/ (Ｑ(Ｃ１)×Ｐ(Ｃ２)) の値に基づき閾値を出力する閾値出力手段をさらに備えることが好ましい。
【００１７】
これにより、上記カラー表示デバイスの欠陥検査の閾値を得ることができ、これを用いて欠陥検査を行うことができる。
【００１８】
また、本発明のカラー表示デバイスの検査条件選出装置では、上記複数の最小値のうち、最大の最小値に対応する光学フィルタの分光透過特性および検査用照明の分光放射特性を算出することが好ましい。
【００１９】
これにより、光学フィルタおよび検査用照明の最適な組合わせを入手することができるため、カラー表示デバイスの検査条件選出を効率良く行うことが可能となる。
【００２０】
本発明のカラー表示デバイスの検査条件選出装置は、上記課題を解決するために、自発光型であるカラー自発光型表示デバイスに対し、光学フィルタを介して上記カラー自発光型表示デバイスに表示された画像を撮像センサによって撮像するカラー自発光型表示デバイスの欠陥検査に用いられるカラー表示デバイスの検査条件選出装置において、上記カラー自発光型表示デバイスを構成する表示色がＣ種類（Ｃは３種類以上の整数）の表示部分に関する各色の分光放射特性と、撮像センサの分光感度特性と、人間の明所比視感度特性と、複数の光学フィルタの分光透過特性とを、選択手段に入力する入力手段と、入力された複数の光学フィルタの分光透過特性から１つの光学フィルタの分光透過特性を選択する上記選択手段とを備え、上記選択手段は、上記各色の分光透過特性と、人間の明所比視感度特性との積の波長積分値をＱ(Ｃ)とし、上記各色の分光透過特性と、撮像センサの分光感度特性と、光学フィルタの分光透過特性との積の波長積分値をＰ（Ｃ）とし、Ｃ種類の表示色から選ばれる、第１の表示色Ｃ１と第２の表示色Ｃ２との全ての組合わせに対し、Ｐ(Ｃ１) / (Ｑ(Ｃ１)×Ｐ(Ｃ２)) の値を算出することによって得られる複数の最小値に対応する光学フィルタの分光透過特性を算出することを特徴としている。
【００２１】
上記の発明によれば、選択手段によって、Ｃ種類の表示色から選ばれる、第１の表示色Ｃ１と第２の表示色Ｃ２との全ての組合わせに対し、Ｐ(Ｃ１) / (Ｑ(Ｃ１)×Ｐ(Ｃ２))の値を算出することによって得られた複数の最小値に対応する光学フィルタの分光透過特性を算出することができる。これにより、算出された結果から、カラー透過型表示デバイスの検査において用いられる複数の光学フィルタから適した条件の光学フィルタを選出することができる。
【００２２】
また、本発明のカラー表示デバイスの検査条件選出装置では、上記選択手段によって、上記Ｐ(Ｃ１)/ (Ｑ(Ｃ１)×Ｐ(Ｃ２)) の値に基づき閾値を出力する閾値出力手段をさらに備えることが好ましい。
【００２３】
これにより、上記カラー表示デバイスの欠陥検査の閾値を得ることができ、これを用いて欠陥検査を行うことができる。
【００２４】
また、本発明のカラー表示デバイスの検査条件選出装置では、上記複数の最小値のうち、最大の最小値に対応する光学フィルタの分光透過特性および検査用照明の分光放射特性を算出することが好ましい。
【００２５】
これにより、光学フィルタおよび検査用照明の最適な組合わせを入手することができるため、カラー表示デバイスの検査条件選出を効率良く行うことが可能となる。
【００２６】
また、本発明の表示デバイス検査装置は、上記カラー表示デバイスの検査条件選出装置を含み、上記カラー表示デバイスの検査条件選出装置が、カラー透過型表示デバイスに表示された画像を撮像する撮像センサと、検査対象となるカラー透過型表示デバイスに制御信号を送信する信号発生器を備える。
【００２７】
また、本発明の表示デバイス検査装置は、カラー表示デバイスの検査条件選出装置を含み、上記カラー表示デバイスの検査条件選出装置が、カラー自発光型表示デバイスに表示された画像を撮像する撮像センサと、検査対象となるカラー自発光型表示デバイスに制御信号を送信する信号発生器を備える。
【００２８】
これらの表示デバイス検査装置は、上記検査条件選出装置を含んでいるため、検査に用いられる、光学フィルタおよび検査用照明の組合わせ、または、光学フィルタの選出が容易である。
【００２９】
本発明のカラー表示デバイスの検査条件選出方法は、上記課題を解決するために、表示用照明と組合わせることによって表示を行うカラー透過型表示デバイスに対し、検査用照明から光を照射し、光学フィルタを介して上記カラー透過型表示デバイスに表示された画像を撮像センサによって撮像するカラー透過型表示デバイスの欠陥検査に用いられるカラー表示デバイスの検査条件選出方法において、カラー透過型表示デバイスを構成する表示色がＣ種類（Ｃは３種類以上の整数）の表示部分に関する各色の分光透過特性と、表示用照明の分光放射特性と、撮像センサの分光感度特性と、人間の明所比視感度特性と、複数の光学フィルタの分光透過特性と、複数の検査用照明の分光放射特性とを得る入力工程と、上記複数の光学フィルタの分光透過特性から１つの光学フィルタの分光透過特性を選択すると共に、上記複数の検査用照明の分光放射特性から１つの検査用照明の分光放射特性を選択する選択工程とを含み、上記選択工程では、上記各色の分光透過特性と、表示用照明の分光放射特性と、人間の明所比視感度特性との積の波長積分値をＱ(Ｃ)とし、上記各色の分光透過特性と、検査用照明の分光放射特性と、撮像センサの分光感度特性と、光学フィルタの分光透過特性との積の波長積分値をＰ（Ｃ）とし、Ｃ種類の表示色から選ばれる、第１の表示色Ｃ１と第２の表示色Ｃ２との全ての組合わせに対し、Ｐ(Ｃ１) / (Ｑ(Ｃ１)×Ｐ(Ｃ２)) の値を算出することによって得られる複数の最小値に対応する光学フィルタの分光透過特性および検査用照明の分光放射特性を算出することを特徴としている。
【００３０】
本発明のカラー表示デバイスの検査条件選出方法は、上記課題を解決するために、自発光型であるカラー自発光型表示デバイスに対し、光学フィルタを介して上記カラー自発光型表示デバイスに表示された画像を撮像センサによって撮像するカラー自発光型表示デバイスの欠陥検査に用いられるカラー表示デバイスの検査条件選出方法において、上記カラー自発光型表示デバイスを構成する表示色がＣ種類（Ｃは３種類以上の整数）の表示部分に関する各色の分光放射特性と、撮像センサの分光感度特性と、人間の明所比視感度特性と、複数の光学フィルタの分光透過特性とを得る入力工程と、上記複数の光学フィルタの分光透過特性から１つの光学フィルタの分光透過特性を選択する選択工程とを備え、上記選択工程は、上記各色の分光透過特性と、人間の明所比視感度特性との積の波長積分値をＱ(Ｃ)とし、上記各色の分光透過特性と、撮像センサの分光感度特性と、光学フィルタの分光透過特性との積の波長積分値をＰ（Ｃ）とし、Ｃ種類の表示色から選ばれる、第１の表示色Ｃ１と第２の表示色Ｃ２との全ての組合わせに対し、Ｐ(Ｃ１) / (Ｑ(Ｃ１)×Ｐ(Ｃ２)) の値を算出することによって得られる複数の最小値に対応する光学フィルタの分光透過特性を算出することを特徴としている。
【００３１】
上記の両方法によれば、上記のカラー表示デバイスの検査条件選出装置と同様に、選択工程において算出された結果から、複数の光学フィルタおよび検査用照明の組合わせ、または、複数の光学フィルムから適した条件を選出することができる。
【発明の効果】
【００３２】
本発明のカラー表示デバイスの検査条件選出装置は、以上のように、上記選択手段は、上記各色の分光透過特性と、表示用照明の分光放射特性と、人間の明所比視感度特性との積の波長積分値をＱ(Ｃ)とし、上記各色の分光透過特性と、検査用照明の分光放射特性と、撮像センサの分光感度特性と、光学フィルタの分光透過特性との積の波長積分値をＰ（Ｃ）とし、Ｃ種類の表示色から選ばれる、第１の表示色Ｃ１と第２の表示色Ｃ２との全ての組合わせに対し、Ｐ(Ｃ１) / (Ｑ(Ｃ１)×Ｐ(Ｃ２)) の値を算出することによって得られた複数の最小値に対応する光学フィルタの分光透過特性および検査用照明の分光放射特性を算出するものである。
【００３３】
それゆえ、算出された結果から、カラー透過型表示デバイスの検査において用いられる複数の光学フィルタおよび検査用照明の組合わせから適した条件の組合わせを選出することができるという効果を奏する。
【発明を実施するための最良の形態】
【００３４】
〔実施の形態１〕
本発明の一実施形態について図１ないし図５に基づいて説明すれば、以下の通りである。まず、具体的な装置構成等を説明する前に、本発明者らが鋭意検討により想到した、本発明の基礎となる技術的思想について説明する。本発明は、カラー自発光型表示デバイスおよびカラー透過型表示装置の双方の点灯検査に用いることが可能であるが、透過型表示デバイスの場合を例に上記技術的思想を説明する。
【００３５】
本発明では、撮像センサで表示装置を撮像したときの各色の測定値を調整し、赤色、緑色および青色の単色の画面を表示し、表示している色と異なった色の画素が点灯していないか検出する点灯検査において、欠陥を検出可能とすることを目的とするが、カラー透過型表示デバイスに対しては、検査に適した光学フィルタおよび検査用照明を選出し使用することによって、上記目的を達成する。
【００３６】
図１は、点灯している画素と不良となる画素との分光特性を説明するためのグラフである。同図の左側の（ａ）〜（ｄ）は、目視または目視と同等の分光感度特性により、表示装置の画像の分光特性を示したグラフである。これに対し、同図の右側の（ｅ）〜（ｈ）は、（ａ）〜（ｄ）の画像を光学フィルタによって、画像の分光特性を調整し、欠陥を検出可能なように変換した分光特性を示している。各グラフの３つのピークは、左から青の点灯画素、緑の点灯画素および赤の点灯画素を示している。また、実線は点灯している画素の分光特性を示しており、点線は不良となる画素の分光特性を示している。また、（ｂ）〜（ｄ），（ｆ）〜（ｈ）には、各色ベタ画面に対する撮像センサのダイナミックレンジを示している。同図の（ｆ）〜（ｈ）に示すように（ｂ）〜（ｄ）の画像を光学フィルタにて処理することにより、不良輝度の輝度を調整した測定値が増加していることがわかる。
【００３７】
図１の（ａ）〜（ｄ）における、人間の目視による輝度（または目視と同等の分光感度特性による輝度）は、以下の式２のように表される。
【００３８】
【数２】
2010019632.tif 000004
【００３９】
上記表示デバイスの制御率は、点灯時および消灯時における制御量であり、自発光型表示デバイスであれば発光率、透過型表示デバイスであれば透過率となる。式１より、人が欠陥を認識する限界の輝度を輝度NGとすると、各色に対応する表示デバイスの限度制御量ＴNG(c)が求まる。限度制御量ＴNG(c)によって輝度NGを表示した場合、輝度NGは検出限界の不良欠陥と同程度の輝度となる。輝度NGは以下の式３によって表される。
【００４０】
【数３】
2010019632.tif 000005
【００４１】
ところで、表示デバイス検査装置にて、各色の分光感度の比を改善するため、具体的には撮像センサのレンズに光学フィルタを取り付けるといった方法をとることが出来る。検査装置の撮像センサに光学フィルタを取り付けて撮像を行った場合の測定値は以下の式４のように表される。
【００４２】
【数４】
2010019632.tif 000006
【００４３】
ここで、色Ｃ１で単色表示した場合、表示色Ｃ１の測定値と欠陥の欠陥色Ｃ２についての測定値（Ｃ１，Ｃ２）は、表示色Ｃの単色表示したときのカメラゲインをＧ（Ｃ）、点灯時の表示部分の制御率をＴ１００として、以下の式５ｂのように表される。なお、以下の式５ａには、単色表示された色Ｃ１の輝度を測定した場合における、色Ｃ１の画素の測定値（Ｃ１）をも示している。
【００４４】
【数５】
2010019632.tif 000007
【００４５】
点灯検査において、欠陥が検出できない場合とは、上記測定値（Ｃ１）に対して、測定値（Ｃ１，Ｃ２）が小さい場合である。すなわち測定値（Ｃ１，Ｃ２）／測定値（Ｃ１）の値が１未満となる場合である。
【００４６】
このことから、ある光学フィルタを使用した場合、表示色Ｃ１と欠陥色Ｃ２のすべての組合わせにおいて、測定値（Ｃ１，Ｃ２）／測定値（Ｃ１）が最小値となる場合、最も欠陥を検出し難くなる。従って、上記最小値が最大となる光学フィルタを使用することが点灯検査において非常に適している。
【００４７】
さらに、検査を行う表示デバイスが透過型表示デバイスの場合であれば、表示用照明に対し、検査用照明を分光放射強度が異なるものに変更する方法によっても各色の測定値の比を改善することが出来る。人の目視による輝度は、表示デバイスの各色の分光放射強度Ｄを表示デバイスの分光透過率Ｌと表示用照明の分光放射強度との組合わせに置き換えることが出来る。光学フィルタと検査用照明とを組合わせた表示デバイスにおいて、輝度は下記の式６として表される。
【００４８】
【数６】
2010019632.tif 000008
【００４９】
式６より、人が欠陥を認識する限界の輝度を輝度NGとすると、以下の式７で表されるように、各色に対応する表示デバイスの限度制御量ＴNG(c)が求まる。
【００５０】
【数７】
2010019632.tif 000009
【００５１】
さらに、検査装置の撮像センサに光学フィルタを取り付け、検査用照明を用いて撮像を行った場合の測定値は以下の式８にて表される。
【００５２】
【数８】
2010019632.tif 000010
【００５３】
ここで、色Ｃ１で単色表示したときの表示色の測定値（Ｃ１）と欠陥の色Ｃ２についての測定値（Ｃ１，Ｃ２）は、表示色Ｃの単色表示したときのカメラゲインをＧ（Ｃ）、点灯時の表示部分の制御率をＴ１００として、以下の式９(b)にて表される。なお、以下の式９ａには、単色表示された色Ｃ１の輝度を測定した場合における、色Ｃ１の画素の測定値（Ｃ１）をも示している。
【００５４】
【数９】
2010019632.tif 000011
【００５５】
式９ｂの測定値（Ｃ１，Ｃ２）／測定値（Ｃ１）から測定環境等に依存する定数を除いた値が、後述する波長積分値をＰ、波長積分値Ｑを用いた式となる。
【００５６】
上述した事項をまとめると、最適となる各色の点灯状態の値に係る比率は、カラー表示デバイスの各色表示部分の分光透過特性と、表示用照明の分光放射特性と、撮像センサの分光感度特性と、人間の明所比視感度特性とから算出することが出来る。上記比率を最適な比率にする方法としては光学フィルタを使用し、撮像センサの分光感度特性を調整する、検査用照明の分光放射特性を変えるといった方法を採用することができる。
【００５７】
しかしながら、透過型表示デバイスおよび表示用照明は性能向上のために、日々進歩しており、その分光特性等は製品のモデルチェンジとともに変化している。また表示デバイスの機種によっても分光特性が異なることが考えられる。そのため、最適な比率となる分光特性の光学フィルタや、検査用照明を作成することも可能であるが、機種が変わった場合に応じ作成することは現実的ではない。
【００５８】
そこで、本発明者らは、あらかじめ検査装置に取り付けることが可能な、複数の異なった分光特性を持つ光学フィルタと検査用照明とを用意しておき、検査対象となる表示デバイスのモデルチェンジや、機種変更に対応し、その都度最適な、光学フィルタと検査用照明を選択し点灯検査を行うことを想到した。
【００５９】
最適な光学フィルタと検査用照明とを選択するためには、複数の光学フィルタの分光特性と、複数の検査用照明の分光特性と、表示デバイスの分光特性と、表示用照明の分光特性と、撮像センサの分光特性と、視感度特性の分光特性とを入力、演算し、その結果を用いて、どのようは光学フィルタおよび検査用照明を用いた場合に最適な組合わせとなるかを提示できる。具体的な装置構成等について以下に説明する。
【００６０】
＜表示デバイス検査装置＞
図２に示すように、本発明に係る表示デバイス検査装置１０では、撮像センサ１、コンピュータ（カラー表示デバイスの検査条件選出装置）２、信号発生器３および表示デバイス（カラー透過型表示デバイス）４が接続されている。撮像センサ１および表示デバイス４の直線上には、検査用照明５および光学フィルタが設置されており、これらの間に表示デバイス４が配置されている。
【００６１】
撮像センサ１は、表示デバイス４に表示された画像を撮像するものである。表示デバイス検査装置１０では、撮像センサ１としてエリアセンサカメラを採用しているが、これに限定されるものではなく、公知の撮像センサを用いることができる。撮像センサ１は検査用照明５によって光が照明された検査対象である表示デバイス４を、光学フィルタ６を介して撮像するように構成され、撮像した画像データをコンピュータ２へ送る。
【００６２】
コンピュータ２は、各機能を実現する制御プログラムの命令を実行するＣＰＵ（central processing unit）、上記プログラムを記憶したＲＯＭ（read only memory）、上記プログラムを展開するＲＡＭ（random access memory）、上記プログラムおよび各種データを記憶するメモリ等の記憶装置（記録媒体）などを備えている。コンピュータ２は、表示デバイス４を制御するための信号を信号発生器３へ送信する役割を果たすものである。さらに、コンピュータ２は、撮像センサ１によって撮像された画像に対し、演算を行い、その結果を用いて適切な検査用照明５および光学フィルタ６を組合わせた場合の結果を算出する。具体的な構成については後述する。
【００６３】
信号発生器３は、コンピュータ２からの信号に従い、表示デバイス４へ電力の供給および信号の送信を制御するものである。すなわち、電力の供給を制御することにより、表示デバイス４の電源のＯＮ，ＯＦＦを制御し、また、信号の制御によって、表示デバイス４に表示される画面の種類が切替えられる。
【００６４】
表示デバイス４は、透過型表示デバイスであり、図示しないが、光源となる表示用照明を備えており、表示デバイス４は、Ｃ種類（Ｃは種類以上の整数）複数の表示部分（画素）からなっている。表示デバイス４は、表示用照明と組合わせることによって表示を行うものである。本実施例では、表示デバイス４は赤、緑および青の３種類の画素からなっており、Ｃは３である。
【００６５】
検査用照明５は、信号発生器３を介し、コンピュータ２と接続されており、コンピュータ２からの信号に従って、照明の点灯、消灯および明るさの制御が行われる。検査用照明５は、あらかじめ用意された複数の種類のランプ（検査用照明）と交換することで、分光特性を調整できる。光学フィルタ６は撮像センサ１の前に取り付けられており、あらかじめ用意された複数の種類の光学フィルタと交換可能である。
【００６６】
さらに、コンピュータ２の構成について図３を用いて具体的に説明する。図３は、コンピュータ２の構成を示すブロック図である。同図に示すように、本発明に係るカラー表示デバイスの検査条件選出装置であるコンピュータ２は、インターフェイス部２１および検査条件選出部２２を備えている。
【００６７】
インターフェイス部２１は、ユーザの操作入力を受け付け、入力データを検査条件選出部２２に送信する。また、インターフェイス部２１は、検査条件選出部２２から出力される算出結果を表示する。インターフェイス部２１は、入力部（入力手段）２３および表示部２４を備えている。
【００６８】
入力部２３は、インターフェイス部２１に設けられた、分光放射特性および分光放射特性等の入力データを記憶する図示しない記憶装置と連結されている。入力部２３は、上記記憶装置から入力データを読み出し、検査条件選出部２２に送信する。なお、入力データとは、表示デバイス４を構成する表示色がＣ種類の表示部分に関する各色の分光透過特性、表示用照明の分光放射特性、撮像センサ１の分光感度特性、人間の明所比視感度特性、複数の光学フィルタ６の分光透過特性、複数の検査用照明５の分光放射特性などを示す各種データの総称とする。また、入力部は図示しない入力装置を備えている。上記入力装置はユーザが上記入力データを入力できるものであればよく、例えば、入力キーやタッチパネルで構成することができる。
【００６９】
表示部２４は、選択部（選択手段）２６によって算出された算出結果、閾値出力部（閾値出力手段）２７によって算出された閾値などを表示するものであり、公知の液晶ディスプレイ等で構成することができる。
【００７０】
検査条件選出部２２は、インターフェイス部２１が送信する入力データを受信し、当該入力データに基づいて所定の処理を行い、処理結果をインターフェイス部２１に返す。検査条件選出部２２は、記憶部２５、選択部２６および閾値出力部２７を備えている。
【００７１】
選択部２６および閾値出力部２７は、検査条件選出部２２における所定の処理を行う。選択部２６は、記憶部２５を介し入力部２３から入力された入力データを読み込む。各種入力データは、可視光の範囲（４００ｎｍ〜７００ｎｍ）での１ｎｍ毎の複数の値であり、分光透過特性であれば各波長に対する透過率、分光放射特性であれば各波長に対する放射率である。
【００７２】
具体的な読み込み方法を以下に例示する。まず、入力データが、表示デバイスの各色の分光透過特性の場合、入力された電子ファイルから、入力データが選択部２６に読み込まれ、２次元配列Ｌ[色][波長]に格納される（色：赤、緑および青、波長：400〜700nmにおいて1nm刻み）。入力データが、表示証明用の分光放射特性の場合、入力された電子ファイルから、入力データが選択部２６に読み込まれ、１次元配列Ｂ[波長]に格納される。入力データが、人間の視感度分光特性の場合、入力された電子ファイルから、入力データが選択部２６に読み込まれ、１次元配列Ｖ［波長]に格納される。また、入力データが、光学フィルタの分光透過特性の場合、入力された電子ファイルから、指定された１〜Ｎ番目までの入力データが選択部２６に順次読み込まれ、２次元配列Ｆ[１〜Ｎ番目]［波長]に格納される。入力データが、検査用照明の分光放射特性の場合、入力された電子ファイルから、指定された１〜Ｍ番目までの検査用照明の分光特性の電子ファイルからデータを順次読み込まれ、２次元配列Ｂｋ[１〜Ｍ番目]［波長]に格納される。選択部２６は、上記の各入力データに基づき処理を行うが、処理内容については後述する。
【００７３】
閾値出力部２７は、欠陥検出のための閾値を算出するものであり、画素が不良品となる輝度、表示デバイスの点灯状態での透過率および測定光学系によって決まる定数値が入力されている。閾値出力部２７の具体的な処理については後述する。
【００７４】
記憶部２５は、例えばＲＡＭ（random access memory）やＨＤＤ（ハードディスクドライブ）などの記憶装置を備えて、各種データおよび各種プログラムを記憶するものである。記憶部２５には、コンピュータ２を動作させるプログラム等を記憶している構成とすることができる。
【００７５】
＜カラー表示デバイスの検査条件選出装置の動作＞
次に、カラー表示デバイスの検査条件選出装置であるコンピュータ２の動作について、図４に基づいて説明する。図４は、カラー表示デバイスの検査条件を選出するためのフローチャートである。本実施の形態では、説明のため表示デバイス４の表示部分は赤、緑および青の３種類、光学フィルタ６の種類の数をＮ種類、検査用照明５の種類の数をＭ種類とする。
【００７６】
Ｓ１では、表示デバイス４の赤、緑および青の分光透過特性および表示用照明の分光放射特性が、入力部２３によって記憶部２５に保管され、その後、保管された入力データは記憶部２５から選択部２６に読み込まれる。同様に、Ｓ２では、視覚感度特性が、Ｓ３では、撮像センサ１の分光感度特性が、入力部２３によって選択部２６に入力され読み込まれる。
【００７７】
Ｓ４では、Ｎ種類の光学フィルタを特定する番号ｉが１番目に設定される。その後、Ｓ５では、番号１の光学フィルタについて、分光特性データが入力部２３によって選択部２６に入力される。Ｓ６では、光学フィルタの番号が判定され、番号Ｎでなければ（ＮＯ）、Ｓ７にて、光学フィルタの番号に１が加算される。これが、番号Ｎの光学フィルタまで繰り返される（Ｓ５〜Ｓ７）。Ｓ６にて、光学フィルタの番号がＮの場合（ＹＥＳ）、Ｓ８に移行する。
【００７８】
Ｓ８では、Ｍ種類の検査用照明を特定する番号ｊが１番目に設定される。Ｓ９〜Ｓ１１では、Ｓ５〜Ｓ７と同様に、Ｍ種類の検査用照明の分光放射特性が入力部２３によって選択部２６に入力され読み込まれる。Ｓ１０にて、検査用照明の番号がＭの場合（ＹＥＳ）、Ｓ１２に移行する。Ｓ１〜Ｓ１１での各入力データを選択部２６に入力することにより得る工程を本実施の形態での入力工程とする。Ｓ１２では、光学フィルタの番号が１に設定され、Ｓ１３では、検査用照明５の番号が１に設定される。
【００７９】
Ｓ１４では、選択部２６において、本発明の選択工程である最小値計算（ｉ，ｊ）がなされる。最小値計算（ｉ，ｊ）については、図５のフローチャートを用いて後述する。Ｓ１４〜Ｓ１８を繰返し、全ての番号ｉおよび番号ｊの組合わせに対し、最小値計算（ｉ，ｊ）を行う。
【００８０】
Ｓ１９では、Ｓ１４で得られた最小値（Ｍｉｎ［ｉ］［ｊ］）のうち最大値（最大の最小値）となる最小値の番号ｉ，番号ｊである番号ｉｍａｘ，番号ｊｍａｘに対応した光学フィルタおよび検査用照明のデータを表示部２４に送信する。表示部２４では上記データが示される。本発明によれば、表示されたデータに基づき、検査に適した光学フィルタおよび検査照明を選出することが可能となる。なお、Ｓ１９は、本実施の形態の選択工程に含まれる。
【００８１】
また、本フローチャートでは、好ましい例として、複数の最小値のうち、最大値（最大の最小値）となる最小値に係る上記データを表示部２４に表示する構成としているが、Ｓ１４で得られた複数の最小値に対応する、複数の光学フィルタおよび検査用照明のデータを表示部２４に送信する構成であってもよい。この場合、上記最大値となる最小値に係る上記データ以外のデータも表示部２４に表示されることとなるが、多様な光学フィルタおよび検査用照明の組合わせについての検討が可能となる。すなわち、上記の結果から、光学フィルタおよび検査用照明の適切な組合わせを選出することができ、適切な点灯検査を行うことが可能となる。
【００８２】
Ｓ２０は閾値出力工程であり、Ｓ１９で得られた光学フィルタおよび検査用照明の組合わせに関する入力データなどから閾値出力部２７によって点灯検査で用いられる閾値が出力される。まず、Ｓ１９で得られた最適な光学フィルタおよび検査用照明の入力データは、選択部２６から閾値出力部２７に読み込まれる。
【００８３】
上記最適な光学フィルタの分光透過特性および検査用照明の分光放射特性に係る表示デバイス４の点灯色Ｃ１と欠陥色Ｃ２とに関し、後述する最小値計算（ｉ，ｊ）において得られるＰ(Ｃ２，ｉ，ｊ)/ (Ｐ(Ｃ１，ｉ，ｊ)×Ｑ(Ｃ２))を計算した値に対し、画素が不良品となる輝度と、表示デバイスの点灯状態での透過率と測定光学系によって決まる定数値とを乗じることによって、点灯色の測定値に対する、欠陥色の測定値を自動的に算出することが出来る。
【００８４】
上記定数値は、検査用照明の輝度の値、光学フィルタの透過率、表示デバイスの透過率、レンズの透過率や撮像条件（絞り、焦点距離）、撮像デバイスの感度から理論上は求めることが可能であるが、レンズの透過率や撮像センサの感度などが測定することが困難であるため、実際に測定することが困難である。実際には、測定光学系によって、不良となる輝度にて点灯させた人口欠陥の輝度を実際に測定し、その測定結果から上記定数値を算出することができる。
【００８５】
このため、あらかじめ不良品となる輝度、表示デバイスの点灯状態での透過率および測定光学系によって決まる定数値を閾値出力部２７に入力しておくことによって、フィルタおよび検査用照明の組合わせから、欠陥検出のための閾値を自動的に算出することが出来る。
【００８６】
算出された閾値は、表示部２４に出力され、最適な光学フィルタおよび検査用照明の組合わせを表示する際に、検査で用いる閾値に反映させるかの問い合わせも合わせて表示し、反映させることをユーザが選択した場合（ＹＥＳ）には、上記算出方法で算出された閾値を検査装置の閾値として設定する。設定しない場合（ＮＯ）には本フローは終了する。なお、閾値の出力は必須の構成ではなく、閾値の出力を行わない構成であっても本発明の範囲に含まれる。
【００８７】
＜最小値計算（ｉ，ｊ）＞
図４のフローチャートにおける最小値計算（ｉ，ｊ）について、図５のフローチャートを用いて説明する。最小値計算（ｉ，ｊ）は、入力データに基づき選択部２６においてなされる。
【００８８】
まず、Ｓ１０１では、点灯検査において点灯色とする点灯色Ｃ１を赤に設定する。その後、Ｓ１０２にて、欠陥色Ｃ２が赤、緑および青から選択される。点灯色Ｃ１および欠陥色Ｃ２が同じである場合（ＹＥＳ）、Ｓ１０２にて欠陥色Ｃ２が選択される（Ｓ１０３）。点灯色Ｃ１と欠陥色Ｃ２とが異なる場合（ＮＯ）、Ｓ１０４に移行する。
【００８９】
Ｓ１０４では、光学フィルタの番号ｉ、検査用照明の番号ｊに対し、現在、赤である点灯色Ｃ１と赤以外の欠陥色Ｃ２とに対し、Ｐ(Ｃ２，ｉ，ｊ)/ (Ｐ(Ｃ１，ｉ，ｊ)×Ｑ(Ｃ２))が計算される。
【００９０】
最小値計算（ｉ，ｊ）で使用される波長積分値Ｑおよび波長積分値Ｐについて、以下に説明する。まず、表示デバイスの各色Ｃの表示部分に関する各色の分光透過特性と、表示用照明の分光放射特性と、人間の視感度分光特性との積を波長積分値Ｑ（Ｃ）とすると、波長積分値Ｑは以下の式１０のように表される。
【００９１】
【数１０】
2010019632.tif 000012
【００９２】
選択部２６では、実際の積分計算は総和計算に近似して行うため、波長積分値Ｑ（Ｃ）は以下の式１１のように表される。
【００９３】
【数１１】
2010019632.tif 000013
【００９４】
一方、表示デバイスの各色表示部分の分光放射特性、撮像センサの分光感度特性、光学フィルタの分光透過特性との積の波長積分値を波長積分値Ｐ（Ｃ）として、波長積分値Ｐは以下の式１２で表される。
【００９５】
【数１２】
2010019632.tif 000014
【００９６】
選択部２６では、実際の積分計算は総和計算に近似して行うため、波長積分値Ｐ（Ｃ）は以下の式１３のように表される。
【００９７】
【数１３】
2010019632.tif 000015
【００９８】
さらに、全ての欠陥色Ｃ２に対し計算がなされたかが判定され（Ｓ１０５）、なされていない場合（ＮＯ）、Ｓ１０２に戻り他の欠陥色Ｃ２が選択される。一方、全ての欠陥色Ｃ２に対し計算がなされた場合（ＹＥＳ）、続いて全ての表示色Ｃ１に対し計算がなされたかが判定され（Ｓ１０６）、計算がなされていない場合、点灯色Ｃ１が次色（緑）に変更され、再度Ｓ１０２にて、欠陥色Ｃ２が選択される。上記Ｓ１０２〜Ｓ１０７を繰返す。
【００９９】
Ｓ１０６にて、全ての表示色Ｃ１について計算がなされたと判定された場合（ＹＥＳ）、表示色Ｃ１および欠陥色Ｃ２のそれぞれに関する配列[Ｃ１][Ｃ２]の最小値を算出する。これにより、最小値計算（ｉ，ｊ）は終了する。
【０１００】
〔実施の形態２〕
本発明の他の実施の形態について図６ないし図８に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【０１０１】
＜表示デバイス検査装置＞
図６に示されるように、本実施の形態の表示デバイス検査装置１１は、前記実施の形態１の表示デバイス検査装置１０が備える表示デバイス４に代えて、表示デバイス（カラー自発光型表示デバイス）４ａを検査するための装置である。表示デバイス４ａは、自発光型の表示デバイスであり、ＰＤＰ、有機ＥＬなどが例示できる。表示デバイス４ａは自発光型であるため、検査において検査用照明は不要である。
【０１０２】
その他、撮像センサ１、コンピュータ（カラー表示デバイスの検査条件選出装置）２、信号発生器３、光学フィルタ６については、実施の形態１で説明した構成と同様である。なお、コンピュータ２は図３にて示す構成であるが、本実施の形態では、入力データとして検査用照明の分光放射特性が処理されない点が実施の形態１と大きく異なる。
【０１０３】
＜カラー表示デバイスの検査条件選出装置の動作＞
本実施の形態に係る表示デバイス検査装置であるコンピュータ２の動作について説明する。図７は、カラー表示デバイスの検査条件を選出するためのフローチャートである。本実施の形態においても、実施の形態１と同様に、表示デバイス４ａの表示部分は赤、緑および青の３種類、光学フィルタ６の種類の数をＮ種類とする。
【０１０４】
Ｓ２０１〜Ｓ２０７は、Ｓ１〜Ｓ７と同様であり、入力データが入力部２３によって選択部２６に入力され、読み込まれる。図７におけるフローチャートと異なる点としては、検査対象となる表示デバイスに表示用照明が備えられておらず、検査用照明も用いられないことから、入力データとして、Ｓ１にて読み込まれた表示用照明の分光放射特性、および、Ｓ９にて読み込まれた検査用照明の分光放射特性は読み込まれない。従って、Ｓ２０１では、表示デバイス４ａの赤、緑および青の分光透過特性および表示用照明の分光放射特性が、Ｓ２０２では、視覚感度特性が、Ｓ２０３では、撮像センサ１の分光感度特性が、入力部２３によって選択部２６に入力され読み込まれる。
【０１０５】
また、Ｓ２０４〜Ｓ２０７は、Ｓ４〜Ｓ７に対応しており、光学フィルタ６の分光特性データが、入力部２３によって選択部２６に入力され読み込まれる。Ｓ２０１〜Ｓ２０７での各入力データを選択部２６に入力することにより得る工程を本実施の形態での入力工程とする。なお、検査用照明の分光放射特性は取り扱われないため、Ｓ８〜Ｓ１１に対応する処理は含まれない。
【０１０６】
Ｓ２０８〜Ｓ２１１は、Ｓ１３〜Ｓ１８に対応しており、Ｓ２１２では、本発明の選択工程である最小値計算（ｉ）がなされる。最小値計算（ｉ）については、図８のフローチャートを用いて後述する。Ｓ２０９からＳ２１１を繰返し、全ての番号ｉに対し、最小値計算（ｉ）を行う。
【０１０７】
Ｓ２１２では、Ｓ２０９で得られた最小値（Ｍｉｎ［ｉ］）のうち最大値となる最小値の番号ｉである番号ｉｍａｘに対応した光学フィルタのデータを表示部２４に送信する。表示部２４では送信されたデータが示される。本発明によれば、表示されたデータに基づき、検査に適した光学フィルタおよび検査照明を選出することが可能となる。なお、Ｓ２１２は、本実施の形態の選択工程に含まれる。
【０１０８】
また、本フローチャートでは、好ましい例として、複数の最小値のうち最大値となる最小値に係る上記データを表示部２４に表示する構成としているが、Ｓ２０９で得られた複数の最小値に対応する、複数の光学フィルタのデータを表示部２４に送信する構成であってもよい。この場合、上記最大値となる最小値に係る上記データ以外のデータも表示部２４に表示されることとなるが、多様な光学フィルタについての検討が可能となる。すなわち、上記の結果から、適切な光学フィルタを選出することができ、適切な点灯検査を行うことが可能となる。
【０１０９】
Ｓ２１３は閾値出力工程であり、Ｓ２１２で得られた光学フィルタに関する入力データなどから閾値出力部２７によって点灯検査で用いられる閾値が出力される。まず、Ｓ２１２で得られた最適な光学フィルタの分光透過特性は、選択部２６から閾値出力部２７に読み込まれる。
【０１１０】
上記最適な光学フィルタの分光透過特性に係る表示デバイス４ａの点灯色Ｃ１と欠陥色Ｃ２とに関し、後述する最小値計算（ｉ）において得られるＰ(Ｃ２，ｉ) / (Ｐ(Ｃ１，ｉ)×Ｑ(Ｃ２))を計算した値に対し、画素が不良品となる輝度と、表示デバイスの点灯状態での透過率と測定光学系によって決まる定数値とを乗じることによって、点灯色の測定値に対する、欠陥色の測定値を自動的に算出することが出来る。上記定数値の算出方法は、上述した通りである。
【０１１１】
このため、あらかじめ不良品となる輝度、表示デバイスの点灯状態での透過率および測定光学系によって決まる定数値を閾値出力部２７に入力しておくことによって、フィルタおよび検査用照明の組合わせから、欠陥検出のための閾値を自動的に算出することが出来る。
【０１１２】
算出された閾値は、表示部２４に出力され、最適な光学フィルタおよび検査用照明の組合わせを表示する際に、検査で用いる閾値に反映させるかの問い合わせも合わせて表示し、反映させることをユーザが選択した場合（ＹＥＳ）には、上記算出方法で算出された閾値を検査装置の閾値として設定する。設定しない場合（ＮＯ）には本フローは終了する。なお、閾値の出力は必須の構成ではなく、閾値の出力を行わない構成であっても本発明の範囲に含まれる。
【０１１３】
＜最小値計算（ｉ）＞
図７のフローチャートにおける最小値計算（ｉ）について、図８のフローチャートを用いて説明する。最小値計算（ｉ）は、入力データに基づき選択部２６においてなされる。Ｓ３０１〜Ｓ３０３は、Ｓ１０１〜Ｓ１０３と同様であり、点灯色Ｃ１および欠陥色Ｃ２が選択される。その後、Ｓ３０４に移行する。
【０１１４】
Ｓ３０４では、光学フィルタの番号ｉに対し、現在、赤である点灯色Ｃ１と赤以外の欠陥色Ｃ２とに対し、Ｐ(Ｃ２，ｉ)/ (Ｐ(Ｃ１，ｉ)×Ｑ(Ｃ２))が計算される。最小値計算（ｉ）で使用される。波長積分値Ｑおよび波長積分値Ｐについて、以下に説明する。まず、表示デバイスの各色Ｃの表示部分に関する各色の分光透過特性と、人間の視感度分光特性との積を波長積分値Ｑ（Ｃ）とすると、波長積分値Ｑは以下の式１４のように表される。
【０１１５】
【数１４】
2010019632.tif 000016
【０１１６】
選択部２６では、実際の積分計算は総和計算に近似して行うため、波長積分値Ｑ（Ｃ）は以下の式１５のように表される。
【０１１７】
【数１５】
2010019632.tif 000017
【０１１８】
一方、表示デバイスの各色表示部分の分光放射特性と、撮像センサの分光感度特性と、光学フィルタの分光透過特性との積の波長積分値を波長積分値Ｐ（Ｃ）として、波長積分値Ｐは以下の式１６で表される。
【０１１９】
【数１６】
2010019632.tif 000018
【０１２０】
選択部２６では、実際の積分計算は総和計算に近似して行うため、波長積分値Ｐ（Ｃ）は以下の式１７のように表される。
【０１２１】
【数１７】
2010019632.tif 000019
【０１２２】
さらに、全ての欠陥色Ｃ２に対し計算がなされたかが判定され（Ｓ３０５）、なされていない場合（ＮＯ）、Ｓ３０２に戻り他の欠陥色Ｃ２が選択される。一方、全ての欠陥色Ｃ２に対し計算がなされた場合（ＹＥＳ）、全ての表示色Ｃ１に対し計算がなされたかが判定され（Ｓ３０６）、計算がなされていない場合、点灯色Ｃ１が次色（緑）に変更され、再度Ｓ３０２にて、欠陥色Ｃ２が選択される。上記Ｓ３０２〜Ｓ３０７を繰返す。
【０１２３】
Ｓ３０６にて、全ての表示色Ｃ１について計算がなされたと判定された場合（ＹＥＳ）、表示色Ｃ１および欠陥色Ｃ２のそれぞれに関する配列[Ｃ１][Ｃ２]の最小値を算出する。これにより、最小値計算（ｉ，ｊ）は終了する。
【０１２４】
なお、本発明は、上述した各実施形態に限定されるものではなく、請求項に示した範囲で種々の変更が可能であり、異なる実施形態にそれぞれ開示された技術的手段を適宜、組合わせて得られる実施形態についても本発明の技術的範囲に含まれる。
【産業上の利用可能性】
【０１２５】
本発明によれば、液晶パネル、有機ＥＬなどの表示デバイスの点灯検査における検査条件を好ましく選出することができるので、表示デバイスを製造する分野において広く利用することが可能である。
【図面の簡単な説明】
【０１２６】
【図１】点灯している画素と不良となる画素との分光特性を説明するためのグラフである。
【図２】本実施の形態に係る表示デバイス検査装置の構成を示す模式図である。
【図３】コンピュータ２の構成を示すブロック図である。
【図４】本発明におけるカラー表示デバイスの検査条件を選出するためのフローチャートである。
【図５】本発明におけるカラー表示デバイスの検査条件を選出するためのフローチャートである。
【図６】本発明における表示デバイス検査装置のさらに他の実施の形態を示す模式図である。
【図７】本発明における他の実施の形態に係るカラー表示デバイスの検査条件を選出するためのフローチャートである。
【図８】本発明における他の実施の形態に係るカラー表示デバイスの検査条件を選出するためのフローチャートである。
【符号の説明】
【０１２７】
１    撮像センサ
２    コンピュータ（カラー表示デバイスの検査条件選出装置）
３    信号発生器
４    表示デバイス（カラー透過型表示デバイス）
４ａ  表示デバイス（カラー自発光型表示デバイス）
５    検査用照明
６    光学フィルタ
１０  表示デバイス検査装置
１１  表示デバイス検査装置
２３  入力部（入力手段）
２６  選択部（選択手段）
２７  閾値検出部（閾値検出手段）
【図１】
2010019632.tif 000020
【図２】
2010019632.tif 000021
【図３】
2010019632.tif 000022
【図４】
2010019632.tif 000023
【図５】
2010019632.tif 000024
【図６】
2010019632.tif 000025
【図７】
2010019632.tif 000026
【図８】
2010019632.tif 000027